(57)【要約】【課題】カウンタの下方への配線の引き込みがしやすく、構造が簡易で、かつ美観にもすぐれた配線収納カウンタを提供する。【解決手段】上面に配線引出収納部２を設けた配線収納カウンタ１０であって、配線引出収納部２は、カウンタ本体１に形成した上下に貫通する貫通開口部１ａに、配線７を通過させる空隙５が形成されるように、複数の桟部材４を取り外し可能に整列して配設させた桟蓋構造とされ、カウンタ本体１の上面１ｂより突出しないように、上端２ａがその上面１ｂに略面一に整合されている。【選択図】図１
2009000264.tif 000002
【特許請求の範囲】
【請求項１】
上面に配線引出収納部を設けた配線収納カウンタであって、
上記配線引出収納部は、カウンタ本体に形成した上下に貫通する貫通開口部に、配線を通過させる空隙が形成されるように、複数の桟部材を取り外し可能に整列して配設させた桟蓋構造とされ、上記カウンタ本体の上面より突出しないように、上端がカウンタ本体の上面と略面一に整合されていることを特徴とする配線収納カウンタ。
【請求項２】
請求項１において、
上記配線引出収納部は、上記桟部材を差し入れる複数組の切込溝と、これらの複数組の切込溝に対応して、上記桟部材の下端を支持する橋絡支持部とを有した枠体を、上記開口部の内周部に装着した構造とされ、
上記桟部材は、それぞれの両側端を上記切込溝に挿入させ、それぞれの下端を上記橋絡支持部で橋渡し状態に支持するようにしている配線収納カウンタ。
【請求項３】
請求項２に記載の枠体と複数の桟部材とを組み合わせてなるカウンタ用配線ユニット。
【発明の詳細な説明】
【技術分野】
【０００１】
本発明は、電子機器の配線を天板の下方に引き込んで収納することが可能な配線収納カウンタ、およびそのカウンタに使用されるカウンタ用配線ユニットに関するものである。
【背景技術】
【０００２】
近時、事務所のＯＡ化にともない、事務机などの上には電話機、電気スタンドに加えて、ファクシミリ装置やパソコンなど種々の電子機器が載置され使用されるようになってきている。特許文献１には、これら複数の機器の配線を机の下方に導く配線挿通口を有した机に関する技術が開示されている。
【０００３】
同文献に記載されたものは、机の幅方向に沿って溝状に長手の開口部が形成され、その開口部に対して、縁部に切欠きを形成した着脱可能な複数の溝蓋のごときカバーを設けることで、それらの切欠き部分が複数の配線挿通口を構成する構造となっている。
【０００４】
このような配線挿通口を有した構造によって、カバーを取り外さなくても、コードの下方への配線引き込み作業は容易に行える。もちろん、カバーを取り外せば作業はさらにしやすい。また、カバーが所定の強度を有していれば、カバー上にパソコンなどを載置することもできる。
【特許文献１】特開２０００−２３７５２号公報
【発明の開示】
【発明が解決しようとする課題】
【０００５】
しかしながら、このものは、配線挿通口が溝に沿って机上に分散配置されているため、机上の配線が乱雑となりやすく、見栄えはよくない。また、机上での開口部（カバー）面積の占める比率が大きいため、配線を全くしない状態でも美観はあまりよくない。
【０００６】
さらに、机やカバーの加工が面倒であることに加え、コンセントを開口に配設する必要があり、またカバーは所定の強度が必要なため、全般的にコストがかかり、非常に高価なものとなる。
【０００７】
したがって、この文献のものは、美観性、構造容易性などにおいて、種々の改善すべき点が多く残されている。
【０００８】
本発明は、このような事情を考慮して提案されたもので、その目的は、カウンタの下方への配線の引き込みがしやすく、構造が簡易で、かつ美観にもすぐれた配線収納カウンタ、およびカウンタ用配線ユニットを提供することにある。
【課題を解決するための手段】
【０００９】
上記目的を達成するために、請求項１に記載の配線収納カウンタは、上面に配線引出収納部を設けた配線収納カウンタであって、配線引出収納部は、カウンタ本体に形成した上下に貫通する貫通開口部に、配線を通過させる空隙が形成されるように、複数の桟部材を取り外し可能に整列して配設させた桟蓋構造とされ、カウンタ本体の上面より突出しないように、上端がカウンタ本体の上面と略面一に整合されていることを特徴とする。
【００１０】
請求項２では、配線引出収納部は、桟部材を差し入れる複数組の切込溝と、これらの複数組の切込溝に対応して、桟部材の下端を支持する橋絡支持部とを有した枠体を、開口部の内周部に装着した構造とされ、桟部材は、それぞれの両側端を切込溝に挿入させ、それぞれの下端を橋絡支持部で橋渡し状態に支持するようにしている。
【００１１】
請求項３に記載のカウンタ用配線ユニットは、請求項２に記載の枠体と複数の桟部材とを組み合わせてなる。
【発明の効果】
【００１２】
請求項１に記載の配線収納カウンタによれば、配線引出収納部が、配線を通過させる空隙が形成されるように、貫通開口部に複数の桟部材を取り外し可能に整列して配設させた桟蓋構造であるため、桟部材によって形成された複数の空隙を利用して、カウンタ本体の上に載置した電話やパソコンなどの電子機器の複数の配線を、下方側へと引き込んで収納することができる。さらに、桟部材が取り外し可能であるため、桟部材を取り外すことで、配線コードに接続されたアダプタなどのサイズの大きいものも、カウンタの上面より下方へ収納させることができる。
【００１３】
また、配線引出収納部がカウンタ本体の貫通開口部に形成した桟蓋の構造であるため、構造が簡易であり、低コストで製造できる。さらに、複数の機器の配線をカウンタ本体上の一部分に集約させて収納する構成であるため、机上の美観が損なわれるおそれもない。
【００１４】
くわえて、配線引出収納部を、カウンタ本体の上面より突出させないように、カウンタの上面に略面一に整合させているため、桟部材を配設させた状態で、カウンタの上面から配線引出収納部にわたって、本や書類、パソコンなど種々の物を安定的に載置できる。
【００１５】
請求項２に記載の配線収納カウンタによれば、桟部材の両側端を枠体に設けた切込溝に差し入れて、橋絡支持部で橋渡し支持させる構造であるため、桟部材の着脱は容易にでき、かつ桟部材が下方に落下するおそれがなく安定感もある。また、枠体を使用しているため、カウンタ本体は、桟部材を配設させるための装着溝などを加工形成する必要はなく、貫通開口部を形成するだけでよい。
【００１６】
請求項３に記載のカウンタ用配線ユニットによれば、そのユニットを、カウンタに設けた貫通開口部に装着させるだけで、上記の効果を有した配線収納カウンタを生成することができる。
【発明を実施するための最良の形態】
【００１７】
以下に、本発明の実施の形態について、添付図面とともに説明する。なお、以下に示す配線収納カウンタの例は、壁付けタイプのもの（カウンタ本体を壁に直接取り付けるもの）を示しているが、これに限定されるものではなく、事務机などの天板にも適用可能である。
【００１８】
図１は本発明の一例である配線収納カウンタの外観斜視図である。
【００１９】
この配線収納カウンタ１０は、カウンタ本体１の上面１ｂに形成した貫通開口部１ａに配線引出収納部２を設けたもので、この配線引出収納部２は、カウンタ本体１の上面１ｂより突出しないように、上端２ａ（後述する枠体３の上縁３ａと桟部材４の上端４ａと）が、上面１ｂと略面一に整合されている。
【００２０】
配線引出収納部２は、取り外し可能な複数の桟部材４を一定間隔で配列して、それらの間に空隙５が形成されており、それらの空隙５は下方に通じる貫通口を構成している。
【００２１】
本例では、配線引出収納部２は、枠体３と、取り外し可能に整列された複数の桟部材４とよりなるカウンタ用配線ユニット２Ａによって構成されているが、枠体３を備えずに、複数の桟部材４を直接、貫通開口部１ａに取り付ける構成としてもよい。
【００２２】
本例のように、枠体３と複数の桟部材４とで配線引出収納部２を構成する場合、枠体３と複数の桟部材４とは、枠体３の上縁３ａと桟部材４の上端４ａとが、カウンタ本体１の上面１ｂと略面一となるように形成されている。なお、枠体３を備えない構成の場合には、桟部材４の上端４ａが、カウンタ本体１の上面１ｂよりも突出しないようにすればよい。
【００２３】
複数の桟部材４によって形成された空隙５は、カウンタ本体１の上に載置されるパソコン、ファクシミリ装置、電話機、電気スタンドなどの電子機器の配線コードが通過できる程度のものが望ましく、カウンタ本体１上の電子機器のコードが各空隙５を通って引き込まれ、コードの先端部分であるプラグやアダプタなどが下方空間に収納された状態では、各空隙５にはコードのみが通過、配設された状態となる。
【００２４】
このように、配線引出収納部２の各空隙５は、コードが通るぐらいの幅の間隙とすることが望ましく、そうすることで、カウンタ本体１上に載置した他の物の落下を防止できる。また、複数の空隙５によって、カウンタ上方よりカウンタの下方空間を覗くこともできる。
【００２５】
なお、カウンタ本体１の上面１ｂとカウンタ用配線ユニット２Ａの上端２ａとが略面一に整合されていれば、カウンタ本体１と枠体３の各厚みの大小関係は特に限定されないが、枠体３を、貫通開口部１ａに装着させた状態でカウンタ本体１を取り扱うことを想定すれば、枠体３の損傷を防止するために、望ましくは、略同一の厚さとするか、図示するように枠体３の厚みを薄く形成するほうがよい。
【００２６】
本発明は、以上のように、貫通開口部１ａに複数の桟部材４を取り外し可能に整列して配設させた桟蓋構造を有しているため、桟部材４によって形成された複数の空隙５を利用して、カウンタ本体１上の電話や電子機器などの複数の配線を収納でき、下方へ引き込むことができる。
【００２７】
さらに、配線を貫通開口部１ａに集約して収納させる桟蓋構造であるため、構造がきわめて簡易であり、低コストで配線収納カウンタ１０を製造できる。また、複数の機器の配線を机上の一箇所で集約させる構成であるため、机上の美観が損なわれるおそれもない。
【００２８】
くわえて、桟蓋（配線引出収納部２）の上端２ａを、カウンタ本体１の上面１ｂに略面一に整合させているため、桟部材４を配設させた状態で、カウンタ本体１の上面１ｂから配線引出収納部２にわたって、本や書類、パソコンなど種々の物を安定させて載置できる。
【００２９】
ついで、配線収納カウンタ１０の各部について説明する。図２は配線収納カウンタ１０の各部の説明図で、（ａ）は配線引出収納部２（カウンタ用配線ユニット２Ａ）、（ｂ）はカウンタ本体１の各平面図である。
【００３０】
カウンタ本体１は、方形状の天板の一部を切り欠いて形成された貫通開口部１ａを有している。貫通開口部１ａは、上下にくりぬいて貫通されていれば、いずれの箇所に形成されていてもよい。また、貫通開口部１ａの平面視形状は方形が好ましいが、これには限定されない。
【００３１】
一方のカウンタ用配線ユニット２Ａは、貫通開口部１ａに装着させる枠体３と、板状に形成された複数の桟部材４とよりなる。枠体３は貫通開口部１ａの内周部１ｃに、接着剤または釘などで強固に固着されている。また、各桟部材４は、枠体３に形成された切込溝３ｂ（後述する図３参照）に挿着できる形状となっている。
【００３２】
次に、カウンタ用配線ユニット２Ａについて、さらに詳細に説明する。図３は、図２（ａ）のＸ部の枠体３のみを示した斜視図である。また図４（ａ）、（ｂ）、（ｃ）は、図２（ａ）のＡ−Ａ線、Ｂ−Ｂ線、Ｃ−Ｃ線の各縦断面図である。
【００３３】
枠体３の対向する長手方向の２つの枠片の内側には、板状の桟部材４の両側端４ｂを差し込んで架け渡し載置できるように、切込溝３ｂと橋絡支持部３ｃとが形成されている。
【００３４】
切込溝３ｂは、高さＨと幅Ｗとがそれぞれ、桟部材４の高さ（短手辺の長さ）、厚みと略同一サイズに形成されている。切込溝３ｂの幅Ｗは、桟部材４の着脱がスムースに行え、かつ、挿着したときにぐらつかない程度に、桟部材４の厚みよりもやや大きくなっている。また、切込溝３ｂの深さＤは、桟部材４の端縁をわずかに嵌め入れられる程度でよいが、桟部材４を差し入れた状態で、桟部材４の弾性変形によって外れない程度の深さとすることが望ましい。
【００３５】
また、橋絡支持部３ｃは、切込溝３ｂよりも下方に形成され、枠体３の内部開口側に突出した突出片３ｄを含んで構成される。桟部材４の両側端４ｂを切込溝３ｂに差し入れたときには、桟部材４は、図４に示したように、その両側端４ｂの下端面が切込溝３ｂの下端の開放面３ｅと、突出片３ｄの上面とに当接して橋絡支持される。
【００３６】
橋絡支持部３ｃは、突出片３ｄを設けない構成としても、桟部材４を十分に支持し得るが、突出片３ｄを備えていれば、桟部材４が弾性力によって外れたときでも、桟部材４の落下を防止できる。また、一部の桟部材４を取り外してコンセントユニット６を嵌め込んで使用する際には、この突出片３ｄにコンセントユニット６を橋渡し載置することができる（図７参照）。
【００３７】
また本例では、板状の桟部材４を立てて、つまり板面（面積が広い面）を側方に向け、かつ長手方向の辺を水平にして、両側端４ｂを切込溝３ｂに差し入れて、仕切り板のように使用しているが、板面を上下に向けて、スノコのごとく並べてもよい。さらには棒状の桟部材を使用してもよい。桟部材の形状や設置態様として種々のものが想定できるが、桟蓋としての強度を考慮すれば、本例のように板状のものを差し入れて使用する態様が望ましい。
【００３８】
図５（ａ）、（ｂ）は、配線収納カウンタ１０の使用例を示した、カウンタ本体１の一部を断面とした正面図である。図中、２０はパソコン、２１は配線コード、２２は補助テーブル、２３は配線モール、２４はアダプタ、２５は壁付けコンセント、２６はカウンタ１０を壁付けするためのＬ字形の固定具である。
【００３９】
図５（ａ）、（ｂ）に示すように、配線引出収納部２より数個の桟部材４を取り外した状態で、コード２１につながったアダプタ２４やルータ（不図示）などを、パソコン２０に接続したまま上方より落とし込んで、カウンタの下方空間に設けた補助テーブル２２の上に載置させて、そのアダプタ２４と、コンセント２５に接続され配線モール２３を通ってきた他方のコード２１とを補助テーブル２２上で接続させる。
【００４０】
いったんアダプタ２４などの大きな部材を下方に通過させた後は、取り外した桟部材４を元に戻せば、配線コード２１のみが配線引出収納部２の空隙５を通過した状態となる。
【００４１】
他の電子機器、例えば電話機、ファクシミリ装置、電気スタンドなどについても、配線コードを、空隙５を通過させて、下方のコンセント２５に接続することができ、そうすることで、机上のほとんどの配線は、配線引出収納部２に集約収納させることができる。
【００４２】
また、下方に引き込んだアダプタ２４や配線コード２１は、補助テーブル２２や配線モール２３を使用することで、カウンタ１０の下方でじゃまにならないように整理できる。
【００４３】
図６（ａ）〜（ｃ）は、図５の例で使用している配線モール２３の使用方法の一例を示す模式断面図である。
【００４４】
配線モール２３は、樹脂などで形成され、固着面２３ｆを有したベース部材２３ａと、配線空間２３ｇを有したカバー部材２３ｂとよりなる。ベース部材２３ａとカバー部材２３ｂには、両者が係合するための係合短片２３ｃと係合長片２３ｄとを備えている。なお図例は、ベース部材２３ａの固着面２３ｆがカウンタ本体１の裏面に固着された状態を示している。
【００４５】
図６（ａ）は係合状態を示しており、この状態よりカバー部材２３ｂの係合短片２３ｃ側の側壁２３ｅを内側に押さえ、弾性変形させて係合短片２３ｃを外してから、係合長片２３ｄを引き出すことで、両者が分離される。両者を結合させる場合は、逆の手順を実施する。
【００４６】
カウンタ１０の下方に配線コード２１を配設する場合には、まず固着面２３ｆをカウンタの下面に固着させてベース部材２３ａを取り付けてから、配線コードをカバー部材２３ｂの配線空間２３ｇに敷設させ、その状態でカバー部材２３ｂをベース部材２３ａに係着させる。
【００４７】
複数の電子機器について、配線引出収納部２より引き込んだコード２１を配線する場合には、複数の配線モール２３を並べてカウンタ１０の裏面などに設ければよく、カウンタ１０の下方空間が乱雑になることを防止できる。配線モールは、例示しているような直線型のものに限らず、屈曲したもの、分岐可能なものなど種々組み合わせれば、さらにカウンタ１０の下方空間を整理できる。
【００４８】
図７は、配線収納カウンタ１０の他の使用例を示した斜視図である。
【００４９】
本例に示した配線収納カウンタ１０は、配線引出収納部２の一部の桟部材４を外し、それによって形成された枠体３内の開口空間にコンセントユニット６を嵌め入れたもので、特に、付設されているコードが短い機器を机上で使用する場合に、延長コードを使用したり桟部材４を取り外したりする必要がなく、利便性が高い。
【００５０】
上述するように、コンセントユニット６は、貫通開口部１ａに取り付けた枠体３の突出片３ｄ（図３、４参照）に橋絡させ、固定させればよい。
【図面の簡単な説明】
【００５１】
【図１】本発明の一例である配線収納カウンタの外観斜視図である。
【図２】同カウンタの説明図で、（ａ）、（ｂ）は同カウンタを構成する配線引出収納部（配線ユニット）とカウンタ本体の各平面図である。
【図３】同カウンタの配線引出収納部に使用される枠体の橋絡支持部を説明するための図で、図２におけるＸ部分の枠体の拡大斜視図を示している。
【図４】配線引出収納部の説明図で、（ａ）は図２のＡ−Ａ線縦断面図、（ｂ）は同Ｂ−Ｂ線縦断面図、（ｃ）はＣ−Ｃ線縦断面図である。
【図５】（ａ）、（ｂ）は、同カウンタの使用例を示すカウンタの一部を断面とした正面図である。
【図６】（ａ）〜（ｃ）は、図５の例で使用している配線モールの使用方法の一例を示す模式断面図である。
【図７】同カウンタの他の使用例を示した斜視図である。
【符号の説明】
【００５２】
１０      配線収納カウンタ
１      カウンタ本体
１ａ      貫通開口部
１ｂ      カウンタ上面
１ｃ      内周部
２      配線引出収納部
２ａ      配線引出収納部の上端
２Ａ      カウンタ用配線ユニット
３      枠体
３ａ    上縁
３ｂ      切込溝
３ｃ      橋絡支持部
３ｄ      突出片
４      桟部材
４ａ      上端
４ｂ      側端
５      空隙
６      コンセントユニット
２０      パソコン
２１      配線コード（配線）
２３      配線モール
【図１】
2009000264.tif 000003
【図２】
2009000264.tif 000004
【図３】
2009000264.tif 000005
【図４】
2009000264.tif 000006
【図５】
2009000264.tif 000007
【図６】
2009000264.tif 000008
【図７】
2009000264.tif 000009